(57)【要約】      （修正有）【課題】尿が体に跳ね返ったり、尿受け具が便器本体に当たったりせず、便座と便器の隙間から漏れた尿が床面に飛散するのを防止する尿飛散防止具を提供する。【解決手段】便器本体１に便座３を回動自在に取り付けるとともに、便座３には便器本体１と接する面にクッション６を設け、便座本体１と便座３との間にクッション６分だけの隙間２を形成した洋式便器に使用される尿飛散防止具であって、便座３の回動支点とは反対側の先端に、便座３の外側から隙間２を覆う覆い板２３と、便器本体１には、便座３が着座状態にあるとき、覆い板２３に飛散した尿を受ける尿収集部２４を備えている。【選択図】図１
0003162260.tif 000002
【実用新案登録請求の範囲】
【請求項１】
便器本体に便座を回動自在に取り付けるとともに、便座には便器本体と接する面にクッションを設け、便座本体と便座との間に上記クッション分だけの隙間を形成した洋式便器に使用される尿飛散防止具であって、上記便座の回動支点とは反対側の先端に、便座の外側から上記隙間を覆う覆い板と、上記便器本体には、上記便座が着座状態にあるとき、覆い板に飛散した尿を受ける尿収集部からなる尿飛散防止具。
【請求項２】
上記便座が着座状態にあるとき、覆い板に飛散した尿を受ける尿収集部に消臭作用のある消臭材を収納する収納部を設けた請求項１の尿飛散防止具。
【考案の詳細な説明】
【技術分野】
【０００１】
この考案は、洋式トイレにおいて、人が座った状態で排尿した際、尿が便器から漏れ、便器の周囲に飛び散るのを防止する器具に関する。
【背景技術】
【０００２】
通常、便器本体１には、その便座３と便器本体１とが接する面にクッション６を設けているが、このクッション６があるために、便座３を便器本体１に着座させた状態で、図２に示すように便座３との間に隙間２が形成される。
このように隙間２が形成されているので、人が便座３の上に座った状態で排尿すると、排出された尿が隙間２から便器本体１の外部に飛び散ることがある。特に幼児の場合、便座３の口径が大きすぎるので、便座３の前のほうにちょこんと座りながら排尿することが多くなる。そのために上記隙間２に向かって排尿されることになり、尿が隙間２から外に飛び散ってしまう。
【０００３】
このような問題を解消するため、特許文献１に記載された尿受け具が従来から知られているが、この従来の尿受け具を図２に示した。
図２に示した従来の尿受け具７は、便座３の先端である便座縁部４すなわち便座３の回動基端とは反対端に尿の受け部８ｂを設けている。この受け部８ｂは、上記便座３の着座状態で、便器本体１の内側に位置するとともに、上記隙間２に対向する位置関係を保っている。
上記のように受け部８ｂを便座３の先端である便座縁部４に設けることによって、隙間２に向かって排尿されても、尿は前記受け部８ｂに当たって、便器本体１の内側に流れ落ちるので、尿が便器本体１の外に飛散して周囲の床面を汚したりしなくなる。
【先行技術文献】
【特許文献】
【０００４】
【特許文献１】特開２００１−１３７１５３号公報
【考案の概要】
【考案が解決しようとする課題】
【０００５】
しかし、上記従来例の尿受け具７は、以下の問題がある。
例えば、上記受け部８ｂを、便座３に座った人に近い位置に取り付けると、この受け部８ｂで跳ね返った尿が人に当たってしまうという問題が発生する。
この問題を解決するために、上記受け部８ｂを便器本体１の縁の部分に近づけると、今度は、受け部８ｂ先端の回動軌跡が便器本体１の縁の部分に当たってしまうので、受け部８ｂの取り付け位置を正確に設定しなければならず、その分、製造コストがかさんでしまうという問題が発生する。
この考案の目的は、尿が体に跳ね返ったり、尿受け具の受け部が便器本体に当たったりしない尿飛散防止具を提供することである。
【課題を解決するための手段】
【０００６】
第１の発明は、便器本体に便座を回動自在に取り付けるとともに、便座には便器本体と接する面にクッションを設け、便座本体と便座との間に上記クッション分だけの隙間を形成した洋式便器に使用される尿飛散防止具に関するものである。この尿飛散防止具は、上記便座の回動支点とは反対側の先端に、便座の外側から上記隙間を覆う覆い板と、上記便器本体には、上記便座が着座状態にあるとき、覆い板に飛散した尿を受ける尿収集部を備えていることを特徴とする。
【０００７】
第２の発明では、飛散した尿が流れる尿収集部内に消臭作用のある消臭材を収納する収納部を設けたことを特徴とする。
【考案の効果】
【０００８】
第１の発明では、尿が体に跳ね返ることがなく、しかも、従来の受け部に相当する覆い板を、それが便器に接触しない位置に簡単に取り付けることができる。
【０００９】
第２の発明は、消臭剤、炭など、消臭作用のある消臭材を収納する収納部を尿収集部内に設け、消臭作用のある消臭材を収納部に収納することにより、第１の発明の効果に加え、飛散した尿を収集する尿収集部からのにおいを消臭する効果を有する。
【図面の簡単な説明】
【００１０】
【図１】本発明を装着した洋式トイレの縦断図。
【図２】従来例を装着した洋式トイレの縦断図
【考案を実施するための最良の形態】
【００１１】
図１に、この考案の実施形態を示す。
便座３を回動し着座姿勢にしたとき便座３と便器本体１の隙間２から漏れた尿を受けるための尿収集部２４を、便座３の回動支点とは反対となる便器本体１の先端外側に設けている。この尿収集部２４は便器本体１の外側と尿収集部２４の両端の全部または一部が、図示していない取り付け手段により、着脱可能に取り付けられている。
なお、上記取り付け手段は、接着テープなどがあるが、いずれにしても上記尿収集部２４が便器本体１に取り外し可能に取り付けられるものであれば、どのような手段を用いてもよい。
【００１２】
また、図１では、尿収集部２４は、便器本体１のどの範囲まで覆うかは設計の段階で自由に設定することができる。
さらに、この尿収集部２４の下端には、尿を貯めるためのタンク２５を設置している。そして、尿収集部２４は上記タンク２５の開口に向かい収斂される形状にしている。このように尿収集部２４をタンク２５に向かって収斂される形状にしたので、尿収集部２４に導かれた尿は、この尿収集部２４を通ってタンク２５に確実に流れるようになる。
このようにしたタンク２５は、尿収集部２４から引き抜くことができるようにしている。したがって、タンク２５に尿が溜まったら、タンク２５を尿収集部２４から引き出して、尿を捨てることができる。
【００１３】
一方、便座３には、その回動支点とは反対側の先端に、便座の外側から上記隙間２を覆う覆い板２３を設け、隙間２に向かい飛び散った尿が、この覆い板２３に当たって尿収集部２４内に落下するようにしている。つまり、この覆い板２３は、便器本体１に沿って湾曲し、その先端を上記尿収集部２４の開口部２６内に臨ませ、上記隙間２から飛び散った尿が尿収集部２４から外に飛び出さないようにしている。
【００１４】
なお、覆い板２３は、便座３を回動させたときに覆い板２３の先端が描く回動軌跡が便器本体１の外側を通る位置関係を保っている。このように覆い板２３の先端が描く回動軌跡が便器本体１の外側を通るようにしたので、便座３を回動させる過程で、覆い板２３が便座本体１に当たることもなく、覆い板２３の取り付け位置に関しても、精密な寸法管理を必要としない。また、従来のようにこの覆い板２３に当たった尿が人の体に跳ね返るようなこともなくなる。
【００１５】
尿収集部２４には、タンク２５に至る過程に消臭剤や炭など消臭作用のある消臭材を収納する収納部２７を設けている。なお、この収納部２７は、タンク２５に至る過程であれば、尿収集部２４のどのような位置に設けてもよいが、この実施形態では、収納部２７を尿収集部２４の下端にあるタンク２５に設けている。このようにタンク２５に設けることによって、タンク２５内の尿を廃棄する際に収納部２７内の消臭材を簡単に取り替えることができるようになる。
【００１６】
次に本発明の作用について説明する。
【００１７】
覆い板２３に当たった尿は、覆い板２３から尿収集部２４内に落ちてタンク２５に向かって流れていく。その過程で、尿は収納部２７内を通過するので、その中の消臭材の消臭作用で消臭されてタンク２５の中に溜まる。
【００１８】
このように、便座３と便器本体１の隙間２から飛散した尿は、尿収集部２４の外には飛び散らず、タンク２５内おさまる。
以上のようにした実施形態によれば、尿が体に跳ね返ることがなく、しかも、従来の受け部８ｂに相当する覆い板２３を、それが便器本体１、尿収集部２４に接触しない位置に簡単に取り付けることができ、便座３と便器本体１の隙間２から漏れた尿が床面に飛散するのを防止できる。
【産業上の利用可能性】
【００１９】
便座本体と便座との間にクッション分だけの隙間を形成した洋式便器において、尿飛散防止具を取り付け、隙間からの尿の飛散を防止する場合に有効である。
【符号の説明】
【００２０】
１        便器本体
２        隙間
３        便座
４        便座縁部
５        便座回動支点
６        クッション
７        尿受け具
８ａ      接着部
８ｂ      受け部
２３      覆い板
２４      尿収集部
２５      タンク
２６      開口部
２７      収納部
【図１】
0003162260.tif 000003
【図２】
0003162260.tif 000004